(57)【特許請求の範囲】
【請求項１】
入力操作を受け付ける入力手段と、
この入力手段による入力操作を検出する第１の検出手段と、
この第１の検出手段により入力操作を検出すると所定時間を計時する計時手段と、
この計時手段による所定時間の計時中に再び前記第１の検出手段により入力操作を検出したか否か判別する判別手段と、
この判別手段により再び入力操作を検出しなかったと判別すると、前記計時手段による所定時間の計時の後、前記入力手段による入力操作の受け付けを無効化する無効化手段と、
メディアデータを処理するメディアデータ処理手段と、
このメディアデータ処理手段が再生処理するメディアデータを出力するための外部接続端子と、
前記メディアデータ処理手段による処理中は、前記外部接続端子に出力装置が接続されたことを検出すると、前記無効化手段の動作を停止するよう制御する制御手段と、
を備えることを特徴とするメディアデータ処理装置。
【請求項２】
入力操作を受け付ける入力手段と、
この入力手段による入力操作を検出する第１の検出手段と、
この第１の検出手段により入力操作を検出すると所定時間を計時する計時手段と、
この計時手段による所定時間の計時中に再び前記第１の検出手段により入力操作を検出したか否か判別する判別手段と、
この判別手段により再び入力操作を検出しなかったと判別すると、前記計時手段による所定時間の計時の後、前記入力手段による入力操作の受け付けを無効化する無効化手段と、
メディアデータを処理するメディアデータ処理手段と、
このメディアデータ処理手段が再生処理するメディアデータの出力時間と前記所定時間とを比較する比較手段と、
前記メディアデータ処理手段による処理中は、前記比較手段により前記所定時間より前記出力時間の方が長いと判別すると、前記無効化手段の動作を停止するよう制御する制御手段と、
を備えることを特徴とするメディアデータ処理装置。
【請求項３】
外部からの所定の入力信号を検出する第２の検出手段と、
前記メディアデータ処理手段による処理中に前記第２の検出手段により外部からの所定の入力信号を検出すると、前記無効化手段による無効化を実行するよう制御する第１の無効化実行手段と、
を更に備えることを特徴とする請求項１または２に記載のメディアデータ処理装置。
【請求項４】
外部と無線通信する通信手段を更に備え、
前記第２の検出手段は、前記通信手段が受信する無線通信の入力信号を検出することを特徴とする請求項３に記載のメディアデータ処理装置。
【請求項５】
外部からの電源供給を検出する第３の検出手段と、
前記メディアデータ処理手段による再生処理中に前記第３の検出手段が外部からの電源供給を検出すると、前記無効化手段による無効化を実行するよう制御する第２の無効化実行手段と、
を更に備えることを特徴とする請求項１または２に記載のメディアデータ処理装置。
【請求項６】
前記入力手段は、前記メディアデータ処理手段による処理を指示するための指示キーを含む複数のキーからなり、
前記無効化手段は、これら複数のキーのうち前記指示キーを除くキーによる入力を無効化することを特徴とする請求項１乃至５のいずれか１項に記載のメディアデータ処理装置。
【請求項７】
メディアデータ処理装置の所定部分を照明する照明手段と、
前記計時手段が所定時間を計時する間、前記照明手段を駆動するよう制御する照明制御手段と、
を更に備えることを特徴とする請求項１乃至６のいずれか１項に記載のメディアデータ処理装置。
【請求項８】
コンピュータを、
入力部からの入力操作を検出する第１の検出手段、
この第１の検出手段により入力操作を検出すると所定時間を計時する計時手段、
この計時手段による所定時間の計時中に再び前記第１の検出手段により入力操作を検出したか否か判別する判別手段、
この判別手段によって再び入力操作を検出しなかったと判別すると、前記計時手段による所定時間の計時の後、前記入力部による入力操作の受け付けを無効化する無効化手段、
メディアデータを処理するメディアデータ処理手段、
前記メディアデータ処理手段による処理中は、当該メディアデータ処理手段が再生処理するメディアデータを出力するための外部接続端子に出力装置が接続されたことを検出すると、前記無効化手段の動作を停止するよう制御する制御手段、
として機能させることを特徴とするメディアデータ処理プログラム。
【請求項９】
コンピュータを、
入力部からの入力操作を検出する第１の検出手段、
この第１の検出手段により入力操作を検出すると所定時間を計時する計時手段、
この計時手段による所定時間の計時中に再び前記第１の検出手段により入力操作を検出したか否か判別する判別手段、
この判別手段によって再び入力操作を検出しなかったと判別すると、前記計時手段による所定時間の計時の後、前記入力部による入力操作の受け付けを無効化する無効化手段、
メディアデータを処理するメディアデータ処理手段、
このメディアデータ処理手段が再生処理するメディアデータの出力時間と前記所定時間とを比較する比較手段、
前記メディアデータ処理手段による処理中は、前記比較手段により前記所定時間より前記出力時間の方が長いと判別すると、前記無効化手段の動作を停止するよう制御する制御手段、
として機能させることを特徴とするメディアデータ処理プログラム。
【発明の詳細な説明】
【技術分野】
【０００１】
本発明は、メディアデータ処理装置、及びメディアデータ処理プログラムに関する。
【背景技術】
【０００２】
従来、携帯電話には、第三者の不正使用を防止するため、本来のユーザが所持していないときに他人がアドレス帳やメールデータ等を見ることができないように、ユーザによるキー操作を検出しなくなってから一定時間経つと、キー操作を無効にするモード（キーロック）を備え、このモードを解除するためには、ユーザが事前に登録した暗証番号やパスワードを入力するようにしたものがある。
【０００３】
また、このキーロックまでの時間をユーザが任意に設定できる機能を備える技術も存在する（例えば、特許文献１）。
【０００４】
ところで、近年、携帯電話にメディアプレーヤーの機能を備えさせ、長時間、音楽を再生することのできるものも開発されている。
【０００５】
特許文献１のキーロック機能を備えた携帯電話では、長時間キー操作をせずに音楽を再生していると、長時間、入力操作を行わなかったと見なされ、キーロック機能が働くことがある。したがって、ユーザが音楽再生の停止や早送りなどの操作をしたいと思ったとき、既にキーロック機能が働いてしまっているケースがあり、使い勝手が悪かった。
【特許文献１】特開２００１−３２０４７７号公報
【発明の開示】
【発明が解決しようとする課題】
【０００６】
本発明は、上記問題点に鑑みてなされたもので、第三者の不正使用を防止しつつ、ユーザにとって使い勝手の良いメディアデータ処理装置、及びメディアデータ処理プログラムを提供することを目的とする。
【課題を解決するための手段】
【０００７】
上記目的を達成するため、本発明の第１の観点に係る請求項１記載のメディアデータ処理装置は、入力操作を受け付ける入力手段と、この入力手段による入力操作を検出する第１の検出手段と、この第１の検出手段により入力操作を検出すると所定時間を計時する計時手段と、この計時手段による所定時間の計時中に再び前記第１の検出手段により入力操作を検出したか否か判別する判別手段と、この判別手段により再び入力操作を検出しなかったと判別すると、前記計時手段による所定時間の計時の後、前記入力手段による入力操作の受け付けを無効化する無効化手段と、メディアデータを処理するメディアデータ処理手段と、このメディアデータ処理手段が再生処理するメディアデータを出力するための外部接続端子と、前記メディアデータ処理手段による処理中は、前記外部接続端子に出力装置が接続されたことを検出すると、前記無効化手段の動作を停止するよう制御する制御手段と、を備えることを特徴とする。
【０００９】
また本発明の第２の観点に係る請求項２記載のメディアデータ処理装置は、入力操作を受け付ける入力手段と、この入力手段による入力操作を検出する第１の検出手段と、この第１の検出手段により入力操作を検出すると所定時間を計時する計時手段と、この計時手段による所定時間の計時中に再び前記第１の検出手段により入力操作を検出したか否か判別する判別手段と、この判別手段により再び入力操作を検出しなかったと判別すると、前記計時手段による所定時間の計時の後、前記入力手段による入力操作の受け付けを無効化する無効化手段と、メディアデータを処理するメディアデータ処理手段と、このメディアデータ処理手段が再生処理するメディアデータの出力時間と前記所定時間とを比較する比較手段と、前記メディアデータ処理手段による処理中は、前記比較手段により前記所定時間より前記出力時間の方が長いと判別すると、前記無効化手段の動作を停止するよう制御する制御手段と、を備えることを特徴とする。
【発明の効果】
【００１７】
本発明によれば、第三者の不正使用を防止しつつ、ユーザにとっての使い勝手が良くなる。
【発明を実施するための最良の形態】
【００１８】
（実施形態１）
本発明の実施形態に係るメディアデータ処理装置を備える無線通信端末１００について、図面を参照して説明する。本実施形態では、無線通信端末１００が携帯電話の例を示すが、ＰＨＳ（Personal Handyphone System）であってもよい。
【００１９】
無線通信端末１００は、図１に示すように、無線通信処理部２、制御部３、プログラムメモリ４、ユーザメモリ５、イヤホン端子６、検出部７、外部記録媒体装着部８、音声処理部１０、表示部１４、キー操作部１８、メディアデータ処理部１９、などから構成される。
【００２０】
無線通信処理部２は、アンテナ１を介して通信網から音声信号を受信する。無線通信処理部２は、音声処理部１０から受信した音声信号を、アンテナ１を介して通信網へ送信する。また、無線通信処理部２は、データ通信機能にかかる通信を制御し、例えば、ウェブサイトへのアクセスや電子メールの送受信をおこなう。
【００２１】
制御部３は、無線通信端末１００の各部の動作を制御する。制御部３は、プログラムメモリ４に格納されているプログラムに基づき、各処理を実行する。なお、無線通信端末１００の各構成はそれぞれ制御部３と接続されており、各構成間でのデータ授受などは制御部３を介しておこなわれるものとする。
【００２２】
制御部３には、タイマー３１が内蔵されている。タイマー３１は、ユーザによる操作を検出しなくなってから予め設定されたタイマー計測時間を計時する。このタイマー計測時間、ユーザによる操作がない場合、制御部３は、後述するキー操作部１８を制御してユーザによるキー操作を無効化する（キーロック設定する）。また、このタイマー計測時間は後述する表示部バックライト１６及びキーバックライト１７の消灯までの時間と一致する。即ち、タイマー３１がタイマー計測時間、キー操作がない場合、制御部３は、キーロック設定し、さらに、表示部バックライト１６及びキーバックライト１７を消灯させる。
【００２３】
プログラムメモリ４は、制御部３が実行するプログラムを格納する。プログラムメモリ４には、無線通信端末１００全体の動作を制御するための基本ソフトウェア（いわゆる、ＯＳなど）や、メディアデータを再生するためのメディアプレーヤーのソフトウェアのほか、種々の機能を実現するためのアプリケーションソフトウェアなどが格納される。
【００２４】
メディアプレーヤーのソフトウェアが制御部３によりロードされると、無線通信端末１００は、メディアプレーヤーモードとなり、後述するメディアデータメモリ５４や外部記録媒体９に格納されるメディアデータを再生可能となる。本実施例では、メディアデータには、音楽ファイルを用いるが、本発明は映像や静止画など無線通信端末１００のメディアプレーヤーで再生可能な各種のデータについても適用可能である。
【００２５】
ユーザメモリ５は、主にユーザが入力するデータを記憶する。ユーザメモリ５は、アドレス帳メモリ５１と、メールメモリ５２と、パスワードメモリ５３と、メディアデータメモリ５４と、を格納する。
【００２６】
アドレス帳メモリ５１は、アドレス帳データを記憶する。
メールメモリ５２は、作成、送信、又は、受信した電子メールデータを記憶する。
【００２７】
パスワードメモリ５３は、ユーザが任意に設定した、キーロックを解除するためパスワードを記憶する。
【００２８】
メディアデータメモリ５４は、メディアプレーヤーモードで再生出力されるメディアデータ（音楽ファイル）を格納する。
【００２９】
イヤホン端子６は、イヤホン２４（イヤホンＲ２２、イヤホンＬ２３を備える）を接続するための端子である。
【００３０】
検出部７は、イヤホン端子６にイヤホン２４が接続されたことを検出する。
本実施形態では、検出部７がイヤホン端子６にイヤホン２４が接続されたことを検出した場合、音楽ファイルの再生に必要なキーはキーロック設定しない。
【００３１】
外部記録媒体装着部８は、メディアデータを格納する外部記録媒体９を装着するためのインタフェースである。
【００３２】
音声処理部１０は、無線通信端末１００の通話機能などにかかる音声の処理をする。音声処理部１０は、マイクロフォン１２から音声の入力を受け、デジタル変換した音声信号を制御部３の制御のもと、無線通信処理部２に送出する。また、制御部３の制御のもと、無線通信処理部２からデジタル音声信号の入力を受け、アナログ変換してスピーカ１１により出力する。
【００３３】
表示部１４は、制御部３の出力信号を受け取ったドライバ１３の制御に基づき、各種画面を表示する。
ドライバ１３は、制御部３の制御のもと、表示部１４に各種画面を表示する。
【００３４】
キー操作部１８は、無線通信端末１００の外面上に構成されたキーからユーザの操作を受け付ける。キー操作部１８は、ユーザの操作に応じた入力信号を制御部３に入力する。また、キー操作部１８は、制御部３の制御のもと、キー操作を無効化する（キーロック設定する）。
【００３５】
キーは、回線接続するためのオフフックキー１８０、着信を切断するためのオンフックキー１８１、クリアキー１８２、数字を入力するためのテンキー１８３〜１９４、操作するためのカーソルキー１９５、決定キーとして機能するセンターキー１９６、各種動作を設定するためのファンクションキー１９７〜２００、サイドマナーキー２０１、上キー２０２、下キー２０３、などから構成される。
【００３６】
尚、キー操作部１８の各キーは、メディアプレーヤーモードにおいて各種操作に必要なキーとそうでないキーとに分かれている。尚、本実施形態では以下のように割り当てられている。
オフフックキー１８０            ：曲調切替
オンフックキー１８１            ：メディアプレーヤーモード終了
クリアキー１８２                ：再生リスト表示
「１」キー１８３                ：歌詞表示（ページ送り）
「３」キー１８５                ：歌詞表示（ページ戻し）
「７」キー１８９                ：表示切替
カーソルキー１９５（右側押下検知）：早送り
カーソルキー１９５（左側押下検知）：巻き戻し
カーソルキー１９５（上側押下検知）：音量大
カーソルキー１９５（下側押下検知）：音量小
センターキー１９６              ：一時停止
ファンクションキー１９７        ：曲停止
ファンクションキー１９８        ：前曲スキップ
ファンクションキー２００        ：次曲スキップ
サイドマナーキー２０１          ：再生リスト表示
上キー２０２                    ：音量大
下キー２０３                    ：音量小
これ以外のキーについては、メディアプレーヤーモードにおいては、操作を検出しても動作制御には影響しないものとする。
【００３７】
ドライバ１５は、制御部３の制御のもと、表示部１４の背面に構成される表示部バックライト１６と、キーの背面に構成されるキーバックライト１７と、の点灯／消灯の駆動を制御する。
【００３８】
メディアデータ処理部１９は、メディアプレーヤーモードで再生することが選択された音楽ファイルを再生し、スピーカＲ２０及びスピーカＬ２１から出力する。また、メディアデータ処理部１９は、キー操作部１８の操作信号に応じた処理（停止、早送り、巻き戻し、音量の上下など）を実行する。
【００３９】
次に、上記構成の無線通信端末１００のキーロック設定の動作を、図面を参照しながら説明する。
無線通信端末１００で、メディアプレーヤーモードで音楽ファイルを再生中に、制御部３は、タイマー３１にタイマー計測時間を計時させ、また、ドライバ１５にバックライト１６、１７を点灯させるとともに、図２に示す、キーロック設定処理を実行する。
【００４０】
キーロック設定処理では、先ず、制御部３は、検出部７がイヤホン端子６へのイヤホン２４の接続を検出したか否かを判別する（ステップＳ１）。
【００４１】
接続を検出した場合（ステップＳ１；Ｙｅｓ）、制御部３は、キー操作部１８を制御して、メディアプレーヤーの操作に必要なキーを除いてキーロック設定する（ステップＳ２）。
ここで、必要なキーとは、上記に記載した通り、１８０〜２０３のうち再生、停止、早送りなどが割り当てられたキーである。それ以外キー（例えば、「２」キー１８４等）からの操作は無効になる。
【００４２】
次に、制御部３は、キー操作部１８がメディアプレーヤーの操作に必要なキー以外のキーの操作を検出したか否かを判別する（ステップＳ３）。
【００４３】
キー操作部１８がメディアプレーヤーの操作に必要なキー以外のキーの操作を検出した場合（ステップＳ３；Ｙｅｓ）、制御部３は、表示部１４に、図３（ａ）に示すような、パスワードの入力を促す画面１４１を出力する（ステップＳ４）。そして、一時的にテンキー１８３〜１９４のキーロックを解除する。
【００４４】
そして、制御部３は、キー操作部１８がテンキー１８３〜１９４操作による数字列の入力を検出したか否かを判別する（ステップＳ５）。
【００４５】
数字列の入力を検出した場合（ステップＳ５；Ｙｅｓ）、制御部３は、入力された数字列がパスワードメモリ５３に記憶されているパスワードと一致するか否かを判別する（ステップＳ６）。
【００４６】
入力された数字列がパスワードと一致する場合（ステップＳ６；Ｙｅｓ）、制御部３はキー操作部１８を制御してキーロック設定を解除する（ステップＳ７）。そして、処理をキーロック設定処理の最初に戻す。
【００４７】
入力された数字列がパスワードと一致しない場合（ステップＳ６；Ｎｏ）、制御部３は、表示部１４に、図３（ｂ）に示すようなパスワードが間違いである旨を示す画面１４２を表示しステップＳ１に処理を戻す。
【００４８】
上述のステップＳ３でキー操作部１８がメディアプレーヤーの操作に必要なキーの操作を検出した場合（ステップＳ３；Ｎｏ）、または、ステップＳ５で数字列の入力を検出しない場合（ステップＳ５；Ｎｏ）、制御部３は、メディアプレーヤーの再生出力状態を維持する（ステップＳ８）。
【００４９】
一方、ステップＳ１で、検出部７がイヤホン端子６へのイヤホン２４の接続を検出しない場合（ステップＳ１；Ｎｏ）、制御部３は、キー操作部１８がいずれかのキーのキー操作を検出したか否かを判別する（ステップＳ９）。
【００５０】
いずれかのキーのキー操作を検出した場合（ステップＳ９；Ｙｅｓ）、制御部３はタイマー３１の計時をリセットする（ステップＳ１２）。そして、キー操作に応じた制御を実行する（ステップＳ１３）。
【００５１】
キー操作を検出しない場合（ステップＳ９；Ｎｏ）、タイマー３１がタイマー計測時間を計時し、タイムアップまでキー操作を待つ（ステップＳ１０；Ｎｏ）。
【００５２】
タイマー計測時間のタイムアップまでにキー操作がなかった場合（ステップＳ１０；Ｙｅｓ）制御部３は、キー操作部１８を制御してすべてのキーをキーロック設定する（ステップＳ１１）。それとともに、ドライバ１５制御して、表示部バックライト１６及びキーバックライト１７を消灯させる。
【００５３】
そして、メディアプレーヤーの再生出力状態を維持し（ステップＳ８）、制御部３はキーロック設定処理を終了する。
【００５４】
実施形態１では、以上の動作により、音楽ファイルの再生中に検出部７によりイヤホン２４の接続を検出し、イヤホン２４が接続されている場合は、メディアプレーヤーの操作に必要なキーはキーロックしない。これにより、長時間音楽を再生中であってもユーザからの操作が無効化されることがなく、第三者の不正使用を防止しつつ、ユーザにとっての使い勝手が良くなる。
【００５５】
（実施形態２）
次に、図４に示すように、図１に示す上記実施形態１の制御部３に比較部３２を備えた実施形態２の構成について説明する。
【００５６】
図４に示す、制御部３の比較部３２は、現在再生しているメディアデータの再生時間とタイマー３１で計時するタイマー計測時間とを比較する。
【００５７】
音楽ファイルの一曲分の再生時間とタイマー３１に設定されたタイマー計測時間とを比較する。そして、一曲分の再生時間の方が長い場合、制御部３は、キーロックに遷移する時間を、予め設定されているタイマー計測時間ではなく再生指示された一曲分の再生時間に所定の時間をプラスした時間に設定する。
【００５８】
これにより、一曲聞き終えた後に選曲しようとすると、キーロックがかかっていてパスワード解除しないと操作できなくなるという不都合を解消することができる。一曲の再生終了後、タイマーの計時をリセットし、その期間にユーザ操作を検出しなかった場合は、予め設定されているタイマー計測時間で計時をはじめる。
【００５９】
上記構成の実施形態２の無線通信端末１００の動作について説明する。
【００６０】
図５は、実施形態２のキーロック設定処理の動作を示すフローチャートである。
図５では、先ず、制御部３は、キー操作部１８が音楽ファイルの選曲指示を検出したか否かを判別する（ステップＳ２１）。
【００６１】
選曲指示を検出しなかった場合（ステップＳ２１；Ｎｏ）、制御部３はキーロック設定処理を終了する。
【００６２】
選曲指示を検出した場合（ステップＳ２１；Ｙｅｓ）、制御部３は、表示部１４に選曲された音楽ファイルの情報を表示する（ステップＳ２２）。
【００６３】
続いて、制御部３は、キー操作部１８が該音楽ファイルの再生指示を検出したか否かを判別する（ステップＳ２３）。
【００６４】
再生指示を検出しなかった場合（ステップＳ２３；Ｎｏ）、制御部３はステップＳ２２に処理を戻す。
【００６５】
再生指示を検出した場合（ステップＳ２３；Ｙｅｓ）、制御部３の比較部３２が再生指示された曲の長さとタイマー３１に設定されたタイマー計測時間とを比較する（ステップＳ２４）。
【００６６】
ステップＳ２４で比較した結果、再生指示された曲の長さの方が長いか否かを判別する（ステップＳ２５）。
【００６７】
再生指示された曲の長さの方が長い場合（ステップＳ２５；Ｙｅｓ）、タイマー３１に設定されたタイマー計測時間を一時的に上書き変更する（ステップＳ２６）。上書きする値は、曲の長さに所定の猶予時間を加えた値である。
【００６８】
ステップＳ２６でタイマー計測時間を上書き変更すると、又は、再生指示された曲の長さの方が短い場合（ステップＳ２５；Ｎｏ）、制御部３はメディアデータ処理部１９により再生指示された音楽ファイルの再生を開始するとともにタイマー３１の計時をスタートする（ステップＳ２７）。なお、ステップＳ２７は、すでに再生指示された音楽ファイルを再生中である場合、スキップする。
【００６９】
次に、制御部３は、音楽ファイルの再生中に、キー操作部１８が選曲再生指示を検出したか否かを判別する（ステップＳ２８）。
【００７０】
選曲再生指示があった場合（ステップＳ２８；Ｙｅｓ）、制御部３は、表示部１４に選曲された音楽ファイルの情報を表示する（ステップＳ３５）。なお、タイマー３１による計時は続行する。
【００７１】
選曲再生指示がなかった場合（ステップＳ２８；Ｎｏ）、一曲の再生終了まで選曲指示の検出を続ける（ステップＳ２９；Ｎｏ）。
【００７２】
一曲の再生が終了すると（ステップＳ２９；Ｙｅｓ）、タイマー３１の一時的に上書き変更されたタイマー計測時間を予めの設定時間に戻す（ステップＳ３０）。
【００７３】
そして、制御部３はタイマー３１にタイマー計測時間の計時を再スタートさせる（ステップＳ３１）。
【００７４】
つづいて、制御部３は、キー操作部１８がいずれかのキーのキー操作を検出したか否かを判別する（ステップＳ３２）。
【００７５】
いずれかのキーのキー操作を検出した場合（ステップＳ３２；Ｙｅｓ）、制御部３はタイマー３１の計時をリセットし、キー操作に応じた制御を実行する（ステップＳ３６）。そして、キーロック設定処理を終了する。
【００７６】
キー操作を検出しない場合（ステップＳ３２；Ｎｏ）、タイマー３１に設定されたタイマー時間がタイムアップするまでキー操作を待つ（ステップＳ３３；Ｎｏ）。
【００７７】
タイマー時間がタイムアップするまでにキー操作がなかった場合（ステップＳ３３；Ｙｅｓ）、制御部３はキー操作部１８を制御して、すべてのキーをキーロック設定する（ステップＳ３４）。
【００７８】
そして、制御部３はキーロック設定処理を終了する。
【００７９】
実施形態２では、以上の動作により、タイマー３１に予め設定されたタイマー時間より選曲された曲の再生時間の方が長い場合、タイマー時間を選曲された曲の再生時間より長く設定変更することができる。したがって、実施形態１に加え、曲の長さによって、柔軟にキーロックまでのタイマー時間を変更することができる。
【００８０】
次に、実施形態２の変形例の動作について説明する。
変形例のフローチャートは、図５のフローチャートのステップＳ２７以降を図６のように変更する。ステップＳ２１〜Ｓ２７の動作は同様である。
【００８１】
ステップＳ２７で、メディアデータ処理部１９により再生指示された音楽ファイルの再生を開始するとともにタイマー３１の計時をスタートすると、制御部は無線通信処理部２による着信割り込みを検出したか否かを判別する（ステップＳ４１）。
【００８２】
着信割り込みを検出しない場合（ステップＳ４１；Ｎｏ）、図５のステップＳ２９の処理に進めて、一曲の再生終了まで着信割り込みの検出を続ける。
【００８３】
着信割り込みを検出した場合（ステップＳ４１；Ｙｅｓ）、制御部３は表示部１４などによりユーザに着信を報知する（ステップＳ４２）。
【００８４】
そして、制御部３はキー操作部１８を制御してすべてのキーをキーロック設定する（ステップＳ４３）。
【００８５】
ステップＳ４３でキーロック設定すると、制御部３はキー操作部１８がキー操作を検出したか否かを判別する（ステップＳ４４）。
【００８６】
キー操作を検出しない場合（ステップＳ４４；Ｎｏ）、キーロック設定状態のまま音楽ファイルの再生を継続する（ステップＳ５１）。
【００８７】
キー操作を検出した場合（ステップＳ４４；Ｙｅｓ）、制御部３は、表示部１４に、図３（ａ）に示すような、パスワードの入力を促す画面１４１を出力する（ステップＳ４５）。そして、一時的にテンキー１８３〜１９４のキーロックを解除する。
【００８８】
そして、制御部３は、キー操作部１８がテンキー１８３〜１９４操作による数字列の入力を検出したか否かを判別する（ステップＳ４６）。
【００８９】
数字列の入力を検出した場合（ステップＳ４６；Ｙｅｓ）、制御部３は、入力された数字列がパスワードメモリ５３に記憶されているパスワードと一致するか否かを判別する（ステップＳ４７）。
【００９０】
入力された数字列がパスワードと一致する場合（ステップＳ４７；Ｙｅｓ）、制御部３はキー操作部１８を制御してキーロック設定を解除する（ステップＳ４８）。
【００９１】
上述のステップＳ４６で数字列の入力を検出しない場合（ステップＳ４６；Ｎｏ）、又は、上述のステップＳ４７で入力された数字列がパスワードと一致しない場合（ステップＳ４７；Ｎｏ）、キーロック設定状態のまま音楽ファイルの再生を継続する（ステップＳ５１）。
【００９２】
上述のステップＳ４８の処理でキーロック設定を解除すると、制御部３はキー操作部１８がオフフックキー１８０の操作を検出したか否かを判別する（ステップＳ４９）。
【００９３】
オフフックキー１８０の操作を検出しない場合（ステップＳ４９；Ｎｏ）、オフフックキー１８０の操作を検出するまで待機する。このとき、所定時間待機するとキーロック設定処理を終了するようにしてもよい。
【００９４】
オフフックキー１８０の操作を検出した場合（ステップＳ４９；Ｙｅｓ）、制御部３は無線通信処理部２と音声処理部１０とを制御して通話状態とする（ステップＳ５０）。
【００９５】
以上の変形例では、再生動作中はキーロック設定せず、着信の割り込みを検出したときにキーロック設定する。なお、Ｓ４４でオンフックキー１８１の操作を検出（メディアプレーヤーモードの終了）すると、その時点でキーロック設定するようにしてもよい。
【００９６】
（実施形態３）
次に、図７に示すように、図１に示す上記実施形態１の構成のイヤホン端子６及び検出部７の代わりに、充電端子２５と充電池２６と検出部２７とを備えた実施形態３の構成について説明する。
【００９７】
充電池２６は、無線通信端末１００に電源を供給する電池である。
【００９８】
充電端子２５は、外部電源を接続され、充電池２６に電力を供給し充電池２６を充電する。
【００９９】
検出部２７は、充電端子２５端子を介して充電池２６が充電されていることを検出する。
【０１００】
上記構成の実施形態３の無線通信端末１００の動作について説明する。
【０１０１】
図８は、実施形態３のキーロック設定処理の動作を示すフローチャートである。
【０１０２】
実施形態３のフローチャートは、図５に示す実施形態２のフローチャートのステップＳ２７以降を図８のように変更したものである。ステップＳ２１〜Ｓ２７の動作は同様である。
【０１０３】
実施形態３では、実施形態２と同様に、ステップＳ２７で、メディアデータ処理部１９により再生指示された音楽ファイルの再生を開始するとともにタイマー３１の計時をスタートすると、制御部３は、検出部２７が充電端子２５の接続を検出したか否かを判別する（ステップＳ６１）。
【０１０４】
検出部２７が充電端子２５の接続を検出しない場合（ステップＳ６１；Ｎｏ）、図５のステップＳ２９の処理に進めて、一曲の再生終了まで充電端子２５の検出を続ける。
【０１０５】
検出部２７が充電端子の接続を検出した場合（ステップＳ６１；Ｙｅｓ）、制御部３はキー操作部１８を制御してすべてのキーをキーロック設定する（ステップＳ６２）。そして、キーロック設定処理を終了する。
【０１０６】
充電中は、通常ユーザが操作することはない。その点を考慮し、実施形態３では、以上の動作により、無線通信端末１００で音楽ファイル再生中に充電端子２５が接続されると自動でキーロック設定にすることができる。
【０１０７】
なお、この発明は上記実施形態に限定されず、種々の変形及び応用が可能である。
【０１０８】
上記実施形態では、制御部３が実行するプログラムは、予めプログラムメモリ４に格納されていたが、通信網を介してプログラムメモリ４に格納するようにしてもよい。
【０１０９】
上記実施形態では、メディアデータ処理装置を備える無線通信端末１００について説明したが、本発明を、ＰＤＡ（Personal Digital Assistants）などの情報端末や、専用のメディアデータ処理装置にも適用することができる。
【図面の簡単な説明】
【０１１０】
【図１】本発明の実施形態１に係る無線通信端末の構成を示すブロック図である。
【図２】実施形態１に係るキーロック設定処理の動作を説明するためのフローチャートである。
【図３】表示部の表示例を示す図である。
【図４】本発明の実施形態２に係る無線通信端末の構成を示すブロック図である。
【図５】実施形態２に係るキーロック設定処理の動作を説明するためのフローチャートである。
【図６】実施形態２の変形例に係るキーロック設定処理の動作を説明するためのフローチャートである。
【図７】本発明の実施形態３に係る無線通信端末の構成を示すブロック図である。
【図８】実施形態３に係るキーロック設定処理の動作を説明するためのフローチャートである。
【符号の説明】
【０１１１】
１…アンテナ、２…無線通信処理部、３…制御部、４…プログラムメモリ、５…ユーザメモリ、６…イヤホン端子、７…検出部、８…外部記録媒体装着部、９…外部記録媒体、１０…音声処理部、１１…スピーカ、１２…マイクロフォン、１３…ドライバ、１４…表示部、１５…ドライバ、１６…表示部バックライト、１７…キーバックライト、１８…キー操作部、１９…メディアデータ処理部、２０…スピーカＲ、２１…スピーカＬ、２２…イヤホンＲ、２３…イヤホンＬ、２４…イヤホン、２５…充電端子、２６…充電池、２７…検出部、３１…タイマー、３２…比較部、５１…アドレス帳メモリ、５２…メールメモリ、５３…パスワードメモリ、５４…メディアデータメモリ、１００…無線通信端末
【図１】
0004662882.tif 000002
【図２】
0004662882.tif 000003
【図３】
0004662882.tif 000004
【図４】
0004662882.tif 000005
【図５】
0004662882.tif 000006
【図６】
0004662882.tif 000007
【図７】
0004662882.tif 000008
【図８】
0004662882.tif 000009